(57)【要約】【課題】簡便な構成でありながら、作業効率の向上と埋設物の敷設形状に応じた接合が可能な防護板の接合構造を提供する。【解決手段】地中１２の埋設管１６を保護する防護板２０Ａ，２０Ｂの接合構造１０は、前記防護板２０Ａ，２０Ｂの縁部近傍の挿通孔２２Ａ，２２Ｂと接合具２６により構成される。接合具２６は、軸部２８，頭部３０，弾性変形可能な複数の羽根３４を備えている。羽根３４は、広がった状態では、防護板２０Ｂの挿通孔２２Ｂの縁部と係合し、閉じた状態では前記軸部２８とともに挿通孔２２Ａ，２２Ｂを挿通可能となっている。縁部を重ね合わせた防護板２０Ａ，２０Ｂの上方から、接合具２６の先端３２を挿通孔２２Ａ，２２Ｂに挿通すると、頭部３０と羽根３４の自由端３５が、それぞれ挿通孔２２Ａ，２２Ｂの縁部と係合し、防護板２０Ａと２０Ｂを回動可能に接合する。【選択図】図１
0003120323.tif 000002
【実用新案登録請求の範囲】
【請求項１】
埋設物の破損防止を目的とする防護板の接合構造であって、
前記防護板の少なくとも一つの縁部近傍に設けられた挿通孔，
該挿通孔が設けられた縁部同士の重ね合わせ部分を回動可能に接合する接合具，
を備えており、前記接合具が、
前記重ね合わせた挿通孔に挿通可能な軸部，
該軸部の一端に設けられており、前記挿通孔の縁部と係合する頭部，
前記軸部の長手方向に沿って設けられており、前記軸部の他端側の周面に一方の端部が固定され、他方の自由端が前記挿通孔の縁部と係合するとともに、前記軸部とともに前記挿通孔を挿通可能な弾性を有する複数の羽根，
を有するとともに、前記頭部と自由端間の距離が、前記防護板の重ね合わせ部分の厚さよりも大きいことを特徴とする防護板の接合構造。
【考案の詳細な説明】
【技術分野】
【０００１】
本考案は、ケーブル類などの地中埋設物が工事などによって破損するのを防止するための防護板の接合構造に関するものである。
【背景技術】
【０００２】
地中には、ケーブル類，ガス管，水道管など、各種の重要な管路が埋設されている。このような埋設物ないし埋設管の上方には、敷設後に行われる道路工事などで地面を掘り起こす際に、当該埋設物の存在を知らせることにより、誤って地中の埋設物を破損することを防止する防護板が設けられる。前記埋設管の収納溝にこのような防護板を蓋として設けることにより、埋設物の存在を事前に把握していない工事の作業者がパワーショベルなどで地面を掘削しても、防護板に当たるため埋設物の存在を知らせることができる。従来このような防護板は、例えば、以下の特許文献１及び２に示すように、埋設物の上方に複数の防護板の縁部同士を突き合わせて平面状に並べて固定しただけの状態で利用されていた。
【特許文献１】特開平９−６８２９０号公報
【特許文献２】特開平１１−２０１３２４号公報
【考案の開示】
【考案が解決しようとする課題】
【０００３】
しかしながら、前記特許文献１の技術では、直線状に並べた防護板を連結ピンで固定するため、埋設物がカーブしている場合などに柔軟に対応することができない。特に、前記防護板の裏側から、連結ピンのネジ部に蝶ナットを螺合しなければならず、連結の手間がかかる。また、いずれの背景技術の場合も、方形状の防護板を並べて敷き詰めて利用するため、縁部の突き合わせ部分から雨水などが浸入する恐れがある。
【０００４】
本考案は、以上の点に着目したもので、その目的は、簡便な構成でありながら、接合が容易で作業効率の向上が可能であるとともに、埋設物の形状に応じた敷設が可能な防護板の接合構造を提供することである。
【課題を解決するための手段】
【０００５】
前記目的を達成するため、本考案は、埋設物の破損防止を目的とする防護板の接合構造であって、前記防護板の少なくとも一つの縁部近傍に設けられた挿通孔，該挿通孔が設けられた縁部同士の重ね合わせ部分を回動可能に接合する接合具，を備えており、前記接合具が、前記重ね合わせた挿通孔に挿通可能な軸部，該軸部の一端に設けられており、前記挿通孔の縁部と係合する頭部，前記軸部の長手方向に沿って設けられており、前記軸部の他端側の周面に一方の端部が固定され、他方の自由端が前記挿通孔の縁部と係合するとともに、前記軸部とともに前記挿通孔を挿通可能な弾性を有する複数の羽根，を有するとともに、前記頭部と自由端間の距離が、前記防護板の重ね合わせ部分の厚さよりも大きいことを特徴とする。本考案の前記及び他の目的，特徴，利点は、以下の詳細な説明及び添付図面から明瞭になろう。
【考案の効果】
【０００６】
本考案は、縁部近傍に設けられた挿通孔の位置を合わせて２枚の防護板を重ね、軸部の端部に設けた頭部と、弾性変形可能な複数の羽根を周面に有する接合具を、前記挿通孔に挿通して、重ね合わせ部分を回動可能に接合することとした。このため、簡便な構成でありながら、接合が容易で作業効率の向上を図ることができるとともに、埋設物の敷設形状に応じた接合が可能になるという効果が得られる。
【考案を実施するための最良の形態】
【０００７】
以下、本考案を実施するための最良の形態を、実施例に基づいて詳細に説明する。
【実施例１】
【０００８】
最初に、図１を参照しながら本考案の実施例１を説明する。図１(A)は本考案の実施例１の接合構造を利用した防護板を示す平面図，(B)は前記(A)を＃Ａ−＃Ａ線に沿って切断し矢印方向に見た断面図，(C)は前記(A)を＃Ｂ−＃Ｂ線に沿って切断し矢印方向に見た断面図，(D)は前記(C)の接合構造を拡大して示す断面図，(E)は接合具の構造を示す斜視図である。本考案の接合構造１０は、地中１２に埋設された各種埋設管１６を保護する複数の防護板２０Ａ，２０Ｂを接合するものであって、本実施例では、接合された防護板２０Ａ，２０Ｂは、埋設管１６を収納する収納溝１８の上端開放部を覆うように設置されている。
【０００９】
防護板２０Ａ，２０Ｂは、いずれも同じ構成となっており、全体が略長方形の薄板であって、長手方向の両端縁，すなわち、両短辺近傍の略中央位置に、後述する接合具２６を挿通するための挿通孔２２Ａ，２２Ｂがそれぞれ設けられている。該防護板２０Ａ，２０Ｂとしては、例えば、鋼板などが利用されるが、他の公知の各種の材質を利用するようにしてもよい。このような防護板２０Ａと２０Ｂは、図１(C)に示すように、防護板２０Ａを上側，防護板２０Ｂを下側にして、それぞれの縁部が重なり合うように交互に配置され、その重なり部分が接合具２６により回動可能に接合される。
【００１０】
前記接合具２６は、図１(D)及び(E)に示すように、前記防護板２０Ａ，２０Ｂの挿通孔２２Ａ，２２Ｂに挿通される軸部２８と、その一端側に設けられた頭部３０及び他端側に設けられた複数の羽根３４により構成されている。前記頭部３０の径は、前記挿通孔２２Ａ，２２Ｂの径よりも大きくなるように設定されており、軸部２８を挿通孔２２Ａ，２２Ｂに通した状態では、該頭部３０が挿通孔２２Ａ，２２Ｂの縁部に係合するようになっている。一方、羽根３４は、前記軸部２８の長手方向に沿って設けられており、その一端は軸部２８の先端３２の近傍に固定され、他端側は、前記頭部３０に向けて広がった自由端３５となっている。該羽根３４は、弾性を有する材料により構成されており、図１(D)に示すように、広がった状態では、前記挿通孔２２Ａ，２２Ｂの縁部に係合し、外力をかけて閉じた状態では、前記軸部２８とともに挿通孔２２Ａ，２２Ｂを挿通可能となっている。なお、前記軸部２８は、広がった状態の自由端３５から前記頭部３０までの距離が、防護板２０Ａ，２０Ｂを重ね合わせたときの厚みよりも若干大きくなるように予め寸法が設定されている。
【００１１】
次に、本実施例の作用を説明する。挿通孔２２Ａと２２Ｂの位置を合わせて防護板２０Ａ，２０Ｂを重ね合わせ、図１(E)に示すように、前記挿通孔２２Ａ側から接合具２６の先端３２を差し込む。このとき、羽根３４が弾性を有しており変形が可能となっているため、差し込むにつれて羽根３４が軸部２８に沿って閉じ、軸部２８とともに挿通孔２２Ａ，２２Ｂを順に通過する。羽根３４の自由端３５が下側の挿通孔２２Ｂを完全に抜けると、羽根３４にかかる外力がなくなるため、再び羽根３４が広がり、図１(D)に示すように、前記自由端３５が挿通孔２２Ｂの縁部に裏側から係合する。このとき、上の防護板２０Ａ側では、接合具２６の頭部３０が挿通孔２２Ａの縁部に係合しており、これら頭部３０と自由端３５により、２枚の防護板２０Ａ，２０Ｂが接合具２６を軸として回動可能に接合される。以上の手順に従って、所望の数の防護板２０Ａ，２０Ｂを接合し、収納溝１８の上端開放部に設置する。この際、埋設管１６がカーブを描くように敷設されている場合には、埋設管１６の敷設形状に沿うように、防護板２０Ａ，２０Ｂの重なり部分を回動させる（図１(A)参照）。これにより、道路工事などにより地面１４がパワーショベルなどにより掘り起こされることがあっても、防護板２０Ａ，２０Ｂにより埋設管１６の存在を作業者に知らせ、破損などを防止することができる。
【００１２】
このように、実施例１によれば、挿通孔２２Ａ，２２Ｂの位置を合わせて２枚の防護板２０Ａ，２２Ｂを重ね、軸部２８の一端に頭部３０を、他端に弾性変形可能な複数の羽根３４を有する接合具２６を挿通し、重ね合わせ部分を回動可能に接合することとした。このため、接合が容易で作業効率の向上を図ることができるとともに、埋設管１６の敷設形状に応じた接合が可能になるという効果が得られる。また、防護板２０Ａ，２０Ｂの縁部が重なり合った状態で接合されるため、埋設管１６の保護効果も高い。
【００１３】
なお、本考案は、上述した実施例に限定されるものではなく、本考案の要旨を逸脱しない範囲内において種々変更を加え得ることができる。例えば、以下のものも含まれる。
(1)上述した実施例の材質は一例であり、必要に応じて適宜変更してよい。また、形状，寸法も一例であり、同様の効果を奏するように適宜設計変更してよい。
【００１４】
(2)前記実施例で示した挿通孔２２Ａ，２２Ｂの位置も任意であり、必要に応じて適宜変更してよい。また、直線状に敷設する場合には、防護板の一つの縁に複数の挿通孔を設け、該挿通孔に接合具を挿通することにより、回動させずに直線状を保つようにしてもよい。また、例えば、前記実施例では、防護板の両短辺の縁部に挿通孔を設けることとしたが、隣り合う短辺と長辺の縁部に挿通孔を設けた防護板を用意するようにしてもよい。このような防護板を利用すると、埋設管１６の曲がり具合が強い場合にも、更に柔軟に対応することができる。
【００１５】
(3)前記接合具２６も一例であり、同様の効果を奏するように、必要に応じて適宜設計変更してよい。例えば、前記実施例では、２つの羽根３４を設けることとしたが、必要に応じて更に多数の羽根を設けるようにしてもよい。また、前記実施例では、羽根３４を軸部２８に沿う直線状としたが、軸部２８の外周に沿った螺旋状としてもよい。頭部３０についても同様に、挿通孔２２Ａの縁と係合することができるものであれば、その形状・寸法は適宜変更してよい。
【００１６】
(4)前記実施例における防護板２０Ａ，２０Ｂの接合数は一例であり、必要に応じて適宜増減してよい。
(5)前記実施例では、防護板２０Ａ，２０Ｂを、収納溝１８の蓋として利用することとしたが、埋設管１６が直接地中１２に埋設されている場合には、該埋設管１６の上方に所定の間隔をおいて防護板２０Ａ，２０Ｂを敷設するようにしてもよい。
(6)前記接合手順も一例であり、収納溝１８の上端に設置してから接合具２６を挿通するなど、同様の効果を奏するように適宜変更可能である。
【産業上の利用可能性】
【００１７】
本考案によれば、縁近傍に設けられた挿通孔の位置を合わせて２枚の防護板を重ね、軸部の端部に設けた頭部と、弾性変形可能な複数の羽根を周面に有する接合具を、前記挿通孔に挿通して、重ね合わせ部分を回動可能に接合することとしたので、防護板の接合構造の用途に適用可能である。特に、高い保護効果が求められる場所や、埋設物が直線以外の形状に敷設されているような場所での接合構造として好適である。
【図面の簡単な説明】
【００１８】
【図１】本考案の一実施例を示す図であり、(A)は本考案の接合構造を利用した防護板を示す平面図，(B)は前記(A)を＃Ａ−＃Ａ線に沿って切断した断面図，(C)は前記(A)を＃Ｂ−＃Ｂ線に沿って切断した断面図，(D)は前記(C)を一部拡大して示す断面図，(E)は接合具の構造を示す斜視図である。
【符号の説明】
【００１９】
１０：接合構造
１２：地中
１４：地面
１６：埋設管
１８：収納溝
２０Ａ，２０Ｂ：防護板
２２Ａ，２２Ｂ：挿通孔
２６：接合具
２８：軸部
３０：頭部
３２：先端
３４：羽根
３５：自由端
【図１】
0003120323.tif 000003